(57)【要約】【課題】電気接続箱への複数種のヒュージブルリンク等の部品の誤挿入を防止する。【解決手段】部品収納箱５1，５2に開閉自在な蓋４1，４2を設け、蓋を開き時に電気接続箱２の上に配置し、その状態で電気接続箱の部品装着部６1〜６4に対向する部品ガイド孔７1〜７4を蓋に設けている部品挿入装置１を提供する。部品収納箱５1，５2を電気接続箱２の周りに複数配置し、各部品収納箱の蓋の部品ガイド孔７1〜７4を電気接続箱の異なる種類の部品１６1，１６2の装着位置に対応して配置した。蓋４1，４2の開閉を検知するセンサ１９を設け、センサは蓋の種類を検知可能に設定した。複数の蓋４1，４2が同時に開いていることをセンサ１９が検知して警告を行わせる。一種類の部品収納箱に複数種の蓋を着脱可能としてもよい。【選択図】図１
2005333010.tif 000002
【特許請求の範囲】
【請求項１】
部品収納箱に開閉自在な蓋が設けられ、該蓋が開き時に電気接続箱の上に配置され、その状態で該電気接続箱の部品装着部に対向する部品ガイド孔が該蓋に設けられたことを特徴とする部品挿入装置。
【請求項２】
前記部品収納箱が前記電気接続箱の周りに複数配置され、各部品収納箱の前記蓋の前記部品ガイド孔が該電気接続箱の異なる種類の部品の装着位置に対応して配置されたことを特徴とする請求項１記載の部品挿入装置。
【請求項３】
前記蓋の開閉を検知するセンサを備え、該センサは該蓋の種類を検知可能に設定されたことを特徴とする請求項１又は２記載の部品挿入装置。
【請求項４】
複数の前記蓋が同時に開いていることを前記センサが検知して警告を行わせることを特徴とする請求項１〜３の何れか１項に記載の部品挿入装置。
【請求項５】
一種類の前記部品収納箱に複数種の前記蓋を着脱可能であることを特徴とする請求項１〜４の何れか１項に記載の部品挿入装置。
【請求項６】
第一の部品収納箱の蓋を開けて電気接続箱の上に配置し、該第一の部品収納箱内の一種類目の部品を該蓋の部品ガイド孔を経て該電気接続箱の一種類目の部品装着部に挿入し、該蓋を閉じた後、第二の部品収納箱の蓋を開けて該電気接続箱の上に配置し、該第二の部品収納箱内の二種類目の部品を該第二の部品収納箱の蓋の部品ガイド孔を経て該電気接続箱の二種類目の部品装着部に挿入することを特徴とする部品挿入方法。
【発明の詳細な説明】
【技術分野】
【０００１】
本発明は、複数種のヒュージブルリンク等の部品を電気接続箱の所定の各部品装着部に間違えることなく挿入し得る部品挿入装置及び部品挿入方法に関するものである。
【背景技術】
【０００２】
図４は従来の電気接続箱の一形態を示すものであり（特許文献１参照）、電気接続箱６１はヒューズ装着部６２やヒュージブルリンク装着部６３やリレー装着部６４といった種々の電気・電子部品装着部やコネクタ装着部６５等を有している。
【０００３】
これら装着部６２〜６５は合成樹脂製の接続箱本体６６の壁部に形成され、内部に雄型ないし雌型の端子（図示せず）を有し、各端子は接続箱本体内のバスバー（図示せず）に一体形成されたり、電線（図示せず）に接続されている。バスバーや電線は配線板（図示せず）に所要形態に配索されている。
【０００４】
ヒューズ装着部６３は複数のヒューズ装着孔６７を等ピッチで並列に有し、ヒュージブルリンク装着部６３は複数の矩形筒状のハウジングで構成され、ハウジング内に矩形状のヒュージブルリンク装着室（装着孔）６９を有している。リレー装着部６４は複数の端子装着孔７０を有している。
【０００５】
ヒューズ６８は可溶体を内蔵した矩形状の胴部と、胴部から突出した一対のタブ端子（図示せず）とで構成され、アンペア数（定格電流）の異なる同じ形状・大きさのものが何種類も用いられている。ヒュージブルリンク（図示せず）は電源線等に接続される大電流用のものであり、外観が箱型に形成され、例えば矩形状の胴部の内側に可溶部とそれに続く雌端子とを有している。リレーは矩形状の胴部内にコイルや接点を有し、それらは例えば外側のタブ端子に続いている。
【０００６】
ヒューズ６８やヒュージブルリンクは作業者の手作業によって接続箱本体６６の部品装着孔６７，６９等に一つずつ挿入される。リレーは同様に作業者の手作業によって接続箱本体６６の部品装着部６４に装着され、リレーの各タブ端子が各端子装着孔７０に挿入される。
【０００７】
そして、例えば一方のコネクタ６５に車両のバッテリ等の電源線がコネクタ接続され、ヒューズ６８やヒュージブルリンクやリレー等を介して他方のコネクタ６５から負荷側のワイヤハーネス（図示せず）にコネクタ接続される。
【特許文献１】特開平１０−７４５７０号公報（図１）
【発明の開示】
【発明が解決しようとする課題】
【０００８】
しかしながら、上記従来の電気接続箱における部品挿入方法にあっては、複数種の部品（例えばヒュージブルリンク）が同一の大きさ・形状である場合に、作業者が部品装着部に異なる種類（例えば異なるアンペア数）の部品を挿入してしまうという心配があった。
【０００９】
本発明は、上記した点に鑑み、部品が種類ごとに同じ大きさ・形状である場合でも、間違いなく電気接続箱の所定の箇所に挿入することができる部品挿入装置及び部品挿入方法を提供することを目的とする。
【課題を解決するための手段】
【００１０】
上記目的を達成するために、本発明の請求項１に係る部品挿入装置は、部品収納箱に開閉自在な蓋が設けられ、該蓋が開き時に電気接続箱の上に配置され、その状態で該電気接続箱の部品装着部に対向する部品ガイド孔が該蓋に設けられたことを特徴とする。
【００１１】
上記構成により、電気接続箱が例えば作業台にセットされ、作業台に又は作業台に隣接して部品収納箱が配置され、作業者が部品収納箱の蓋を開いて電気接続箱の上に位置させ、次いで部品収納箱から部品を取り出して蓋の部品ガイド孔に挿入する。部品は部品ガイド孔を経て電気接続箱の部品装着部に挿入ないし装着される。蓋には一以上の部品ガイド孔が設けられている。電気接続箱に複数種の部品装着部があっても、蓋の部品ガイド孔以外の部分（他の部品装着部）は蓋で覆い隠されるから、所定の部品装着部のみに所定の部品を挿入することができる。
【００１２】
請求項２に係る部品挿入装置は、請求項１記載の部品挿入装置において、前記部品収納箱が前記電気接続箱の周りに複数配置され、各部品収納箱の前記蓋の前記部品ガイド孔が該電気接続箱の異なる種類の部品の装着位置に対応して配置されたことを特徴とする。
【００１３】
上記構成により、作業者が第一の部品収納箱の蓋を開けて電気接続箱の上に位置させ、第一の部品収納箱から一種類目の部品を取り出して蓋の部品ガイド孔を経て電気接続箱の所定の部品装着部に挿入する。次いで、蓋を閉めて、第二の部品収納箱の蓋を開けて電気接続箱の上に位置させ、第二の部品収納箱から二種類目の部品を取り出して蓋の部品ガイド孔を経て電気接続箱の所定の部品装着部に挿入する。第一の蓋の部品ガイド孔と第二の蓋の部品ガイド孔とは蓋開き時の位置が異なる。次いで蓋を閉めて、第三の部品収納箱がある場合は上記同様の操作で三種類目の部品を第三の蓋の部品ガイド孔から電気接続箱の所定の部品装着部に挿入する。このようにして複数種の部品を電気接続箱の所定の部品装着部に位置間違えなく正確に挿入することができる。
【００１４】
請求項３に係る部品挿入装置は、請求項１又は２記載の部品挿入装置において、前記蓋の開閉を検知するセンサを備え、該センサは該蓋の種類を検知可能に設定されたことを特徴とする。
【００１５】
上記構成により、蓋を開けるとセンサがオン（又はオフ）し、蓋を閉じるとセンサがオフ（又はオン）し、センサのオンオフ信号は制御部に送られる。蓋の種類は、例えば各部品収納箱ごとにセンサを二つ設け、センサに対する被検知部を例えば蓋に設け、被検知部が一つの場合に一種類目の部品、被検知部が二つの場合に二種類目の部品というようにし、制御部にそのデータを予め入力しておくことで、蓋の種類すなわち部品の種類の識別を行うことができる。装着される部品が二種類である場合に第一の部品収納箱を二回開閉しても制御部がＮＧ判定をし、第一の部品収納箱を開閉し、次いで第二の部品収納箱を開閉した場合に初めて制御部がＯＫ判定を下す。このために蓋の種類を識別するセンサが有用となる。センサは部品収納箱に限らずその近傍に設けることも可能であり、センサは蓋に限らず、電気接続箱側の作業台等に設けることも可能である。
【００１６】
請求項４に係る部品挿入装置は、請求項１〜３の何れか１項に記載の部品挿入装置において、複数の前記蓋が同時に開いていることを前記センサが検知して警告を行わせることを特徴とする。
【００１７】
上記構成により、作業者が異なる部品収納箱から種類の異なる部品を取り出す心配がなくなる。各部品収納箱のセンサの蓋開き信号は制御部に同時に送られて複数の蓋が開いていることが検知され、制御部がブザーやランプ等を作動させて警報を行わせる。
【００１８】
請求項５に係る部品挿入装置は、請求項１〜４の何れか１項に記載の部品挿入装置において、一種類の前記部品収納箱に複数種の前記蓋を着脱可能であることを特徴とする。
【００１９】
上記構成により、部品収納箱を共通で使用し、部品収納箱は装置に固定し、蓋のみを種類を変えて部品収納箱に脱着させる。部品収納箱内の部品はその都度入れ替えることは言うまでもない。工程のスペースが狭い場合に複数の部品収納箱を一つないし二つ程度に限定することで省スペース化が可能となる。蓋の着脱は例えば部品収納箱側の軸受を可撓性の部材で形成し、蓋側の軸を軸受にワンタッチで嵌め込む等の手段で行うことができる。
【００２０】
請求項６に係る部品挿入方法は、第一の部品収納箱の蓋を開けて電気接続箱の上に配置し、該第一の部品収納箱内の一種類目の部品を該蓋の部品ガイド孔を経て該電気接続箱の一種類目の部品装着部に挿入し、該蓋を閉じた後、第二の部品収納箱の蓋を開けて該電気接続箱の上に配置し、該第二の部品収納箱内の二種類目の部品を該第二の部品収納箱の蓋の部品ガイド孔を経て該電気接続箱の二種類目の部品装着部に挿入することを特徴とする。
【００２１】
上記構成により、電気接続箱が例えば作業台にセットされ、作業台に又は作業台に隣接して部品収納箱が配置され、作業者が部品収納箱の蓋を開いて電気接続箱の上に位置させ、次いで部品収納箱から部品を取り出して蓋の部品ガイド孔に挿入する。部品は部品ガイド孔を経て電気接続箱の部品装着部に挿入ないし装着される。蓋には一以上の部品ガイド孔が設けられている。電気接続箱に複数種の部品装着部があっても、蓋の部品ガイド孔以外の部分（他の部品装着部）は蓋で覆い隠されるから、所定の部品装着部のみに所定の部品を挿入することができる。
【００２２】
作業者が第一の部品収納箱の蓋を開けて電気接続箱の上に位置させ、第一の部品収納箱から一種類目の部品を取り出して蓋の部品ガイド孔を経て電気接続箱の所定の部品装着部に挿入する。次いで、蓋を閉めて、第二の部品収納箱の蓋を開けて電気接続箱の上に位置させ、第二の部品収納箱から二種類目の部品を取り出して蓋の部品ガイド孔を経て電気接続箱の所定の部品装着部に挿入する。第一の蓋の部品ガイド孔と第二の蓋の部品ガイド孔とは蓋開き時の位置が異なる。次いで蓋を閉めて、第三の部品収納箱がある場合は上記同様の操作で三種類目の部品を第三の蓋の部品ガイド孔から電気接続箱の所定の部品装着部に挿入する。このようにして複数種の部品を電気接続箱の所定の部品装着部に位置間違えなく正確に挿入することができる。
【発明の効果】
【００２３】
請求項１記載の発明によれば、電気接続箱に複数種の部品装着部があっても、蓋の部品ガイド孔以外の他の部品装着部が蓋で覆い隠され、所定の部品装着部のみに所定の部品を挿入することができるから、異なる種類の部品を誤挿入する心配がなく、電気接続箱の組立品質が向上する。また、作業者が蓋の開閉を自分で行うことで、効率良く部品の挿入作業を行うことができる。しかも、アクチュエータを用いない簡単な装置であるから、コストが安く、場所もとらず、工程が簡素化される。
【００２４】
請求項２記載の発明によれば、複数種の部品を電気接続箱の所定の部品装着部に位置間違えなく正確に挿入することができ、電気接続箱の組立品質が一層向上する。
【００２５】
請求項３記載の発明によれば、部品が種類ごとに確実に電気接続箱に挿入されたか否かが検知されるから、種類ごとの部品の挿入忘れ等が確実に防止され、電気接続箱の組立品質が一層向上する。
【００２６】
請求項４記載の発明によれば、作業者が異なる部品を手に取る心配がなくなり、電気接続箱への異部品の誤挿入が確実に防止され、電気接続箱の組立品質が一層向上する。
【００２７】
請求項５記載の発明によれば、部品収納箱が少数で済むから、狭い工程内においても部品挿入装置を設置することができ、工程が省スペース化されると共に、部品挿入装置が低コスト化される。
【００２８】
請求項６記載の発明によれば、電気接続箱に複数種の部品装着部があっても、蓋の部品ガイド孔以外の他の部品装着部が蓋で覆い隠され、所定の部品装着部のみに所定の部品を挿入することができるから、異なる種類の部品を誤挿入する心配がなく、電気接続箱の組立品質が向上する。また、作業者が蓋の開閉を自分で行うことで、効率良く部品の挿入作業を行うことができる。しかも、アクチュエータを用いない簡単な装置であるから、コストが安く、場所もとらず、工程が簡素化される。また、複数種の部品を電気接続箱の所定の部品装着部に位置間違えなく正確に挿入することができ、電気接続箱の組立品質が一層向上する。
【発明を実施するための最良の形態】
【００２９】
図１は本発明に係る部品挿入装置の一実施形態を示すものである。
【００３０】
この部品挿入装置１は、電気接続箱２をセットする作業台３と、作業台３に隣接して配置され、開閉自在な蓋４1，４2を有する複数の部品収納箱５1，５2とを備え、各部品収納箱５1，５2の蓋４1，４2は開き時に電気接続箱２の上に位置し、且つ電気接続箱２のヒュージブルリンク装着部（部品装着部）６1，６2、６3，６4に対向する部品ガイド孔７1，７2、７3，７4を有したことを特徴としている。
【００３１】
電気接続箱２は例えばその外周面を位置決めピン８等で当接されて作業台３上に位置決めされる。本例の電気接続箱２は合成樹脂製の接続箱本体９の上壁１０に複数のヒュージブルリンク装着部６1〜６4と複数のコネクタ装着部（コネクタ）１１とを混在して有したものであり、各ヒュージブルリンク装着部６1〜６4は同一の大きさ・形状に形成されている。
【００３２】
各ヒュージブルリンク装着部６1〜６4は矩形状のハウジング１２の内側の部品装着室（装着孔）１３に例えばタブ端子１４を突出して有し、タブ端子１４は接続箱本体９の内側の導電金属製のバスバー（図示せず）に一体に形成され、バスバーは複数層の配線板（図示せず）に配索されて、例えばコネクタ１１のタブ端子１５に続いている。
【００３３】
作業台（テーブル）３は例えば電気接続箱２の組立工程又はヒュージブルリンク圧入工程といった他の工程に一体的に続いている。例えば各蓋４1，４2を用いて電気接続箱２の全てのヒュージブルリンク装着部６1〜６4に各ヒュージブルリンク１６1，１６2（図２，図３）を初期挿入（落とし込み）した後、ヒュージブルリンク圧入工程（図示せず）で全てのヒュージブルリンク１６1，１６2を一括して圧入可能である。
【００３４】
あるいは一括圧入工程をなくして、各蓋４1，４2を用いてヒュージブルリンク１６1，１６2を一つずつヒュージブルリンク装着部６1〜６4に挿入すると同時に作業者が手で押圧して圧入させることも可能である。ヒュージブルリンク１６1，１６2の圧入とはヒュージブルリンクの雌型又は雄型の端子と電気接続箱側の雄側又は雌型の端子との接続を行わせることである。
【００３５】
本例において作業台３の前端と側端とに各部品収納箱５1，５2がブラケット１７等で固定され、各部品収納箱５1，５2は９０゜方向に配置されている。各部品収納箱５1，５2にはヒンジ１８を介して蓋４1，４2が開閉自在に設けられ、各蓋４1，４2は作業台３の上の電気接続箱２に向けて内向きに開き、電気接続箱２のヒュージブルリンク装着部６1〜６4の上に隙間を存して電気接続箱２の上壁１０やヒュージブルリンク装着部６1〜６4の上端面と平行に位置する。各蓋４1，４2の長さは作業台上の電気接続箱２と部品収納箱５1，５2との距離だけ部品収納箱５1，５2の長さよりも長く設定されている。
【００３６】
ヒュージブルリンク装着部６1〜６4と蓋４1，４2との間の隙間は、ヒュージブルリンク１６1，１６2をヒュージブルリンク装着部６1〜６4に挿入した後、蓋４1，４2をヒュージブルリンク１６1，１６2の上端と干渉することなくスムーズに閉じるためのものである。挿入後のヒュージブルリンク１６1，１６2の上端面がヒュージブルリンク装着部６1〜６4の上端面と同じ高さになる場合には隙間は不要で、蓋４1，４2はヒュージブルリンク装着部６1〜６4の上端面に当接させてもよい。開いた蓋４1，４2とヒュージブルリンク装着部６1〜６4の上端面とが平行に位置する、あるいは傾きなく当接するように、各部品収納箱５1，５2の固定高さや蓋４1，４2の開き角度が設定されている。
【００３７】
一方（第一）の部品収納箱５1には一種類目のヒュージブルリンク１６1（図２）が収容され、他方（第二）の部品収納箱５2には二種類目のヒュージブルリンク１６2が収容されている。本例の電気接続箱２には二種類のヒュージブルリンク１６1，１６2が二つずつ異なる位置に装着されるようになっており、第一の部品収納箱５1の蓋４1と第二の部品収納箱５2の蓋４2とにはそれぞれ異なる位置に部品ガイド孔７1，７2、７3，７4が設けられている。部品ガイド孔７1〜７4はヒュージブルリンク１６1，１６2の形状に整合した矩形状に形成されている。全てのヒュージブルリンク１６1，１６2の大きさ・形状は同一でアンペア数（定格電流）のみが異なり、全ての部品ガイド孔７1〜７4の形状・大きさは同一である。
【００３８】
例えば、電気接続箱２の各ヒュージブルリンク装着部６1〜６4の大きさ・形状が異なる場合は、各蓋４1，４2の部品ガイド孔７1〜７4を用いるまでもなく、各ヒュージブルリンク１６1，１６2は所定のヒュージブルリンク装着部６1〜６4にしか装着されない。また、ヒュージブルリンク１６1，１６2の形状が同一で大きさのみが異なる場合は、大きなヒュージブルリンクは小さなヒュージブルリンク装着部には挿入されず、小さなヒュージブルリンクは大きなヒュージブルリンク装着部に挿入されてしまうが、これは蓋４1，４2の部品ガイド孔７1〜７4を用いた場合も同様である。従って、各種のヒュージブルリンク１６1，１６2の大きさ・形状が同一である場合に蓋４1，４2の部品ガイド孔７1〜７4を用いる意義がある。
【００３９】
各部品収納箱５1，５2の外壁面には複数のセンサ１９が設けられ、各蓋５1，５2の張り出し部２０に、各センサ１９に対する被検知部２１が設けられている。センサ１９は蓋４1，４2の開閉の有無を検知すると共に、部品収納箱５1，５2の種類すなわち収納されるヒュージブルリンク１６1，１６2の種類を識別するためのものである。
【００４０】
センサ１９としては例えば磁気式の近接センサが使用され、被検知部２１としてはボルトが止めナットで固定されて使用され、蓋４1，４2を閉止した状態でボルト２１の先端面がセンサ１９に近接してセンサ１９がオン（又はオフ）され、蓋４1，４2を開いた際にボルト２１がセンサ１９から離間してセンサ１９がオフ（又はオン）され、このセンサ１９のオンオフによって蓋４1，４2の開閉の有無が検知される。
【００４１】
センサ１９としては、近接センサ以外に光センサやリミットスイッチ等、種々のものを適宜使用可能である。センサ１９を部品収納箱５1，５2の外側に付けるか内側に付けるか、あるいは部品収納箱５1，５2に隣接して作業台３に付けるか等は、部品収納箱５1，５2や作業台３の形態等に応じて適宜設定可能である。
【００４２】
蓋４1，４2が開かれたということは、その部品収納箱５1，５2内のヒュージブルリンク１６1，１６2が取り出されて電気接続箱２の所定のヒュージブルリンク装着部６1〜６4に挿入される状態と見ることができ、例えば第一の部品収納箱５1の蓋４1の開閉（開きと閉じの両方）が検出された場合に、一種類目のヒュージブルリンク１６1（図２）の挿入が完了したとみなされる。
【００４３】
二つの部品収納箱５1，５2の各センサ１９の信号線２２は図示しない制御部に接続されており、制御部において各センサ１９のオンオフ信号が別々に送られてきた場合、すなわち、一方（又は他方）の部品収納箱５1の蓋４1が開閉されることでそのセンサ１９がオンオフし、次いで他方（又は一方）の部品収納箱５2の蓋４2が開閉されることでそのセンサ１９がオンオフした場合にＯＫ判定が下される。
【００４４】
両方の部品収納箱５1，５2の蓋４1，４2を開けたままにした場合、すなわち作業者がズルをして蓋４1，４2を半分程度に開けた状態で固定させ、蓋４1，４2のガイド機能を発揮させないで、両部品収納箱５1，５2から勝手にヒュージブルリンク１６1，１６2を取り出してそのまま電気接続箱２に挿入した場合は、各センサ１９が両部品収納箱５1，５2の蓋４1，４2が開いたという信号を制御部に同時に送ることで、制御部が作業不良と判定し、ブザーやランプ等で警告を行う。
【００４５】
ヒュージブルリンク１６1，１６2の種類を特定する機能は、例えば複数のセンサ（本例で三つ）１９を部品収納箱５1，５2に予め設けておき、蓋４1，４2の張り出し部２０に、各センサ１９に対応した各孔２３を設け、各孔２３に固定する被検知部であるボルト２１の数を増減させることで発揮させることができる。
【００４６】
本例では第一の部品収納箱５1において蓋４1に一つのボルト２１を設けて一つのセンサ１９を作動させ、第二の部品収納箱５2において蓋４2に二つのボルト２１を設けて二つのセンサ１９を同時に作動させるようにして、一つのセンサ１９が作動した場合に一種類目のヒュージブルリンク１６1、二つのセンサ１９が同時に作動した場合に二種類目のヒュージブルリンク１６2というように制御部に認識させている。制御部のメモリには予めそれらの比較データが入力されている。
【００４７】
一方（又は他方）の部品収納箱５1の蓋４1が開閉され、それらの信号が制御部に送られ、次いで他方（又は一方）の部品収納箱５2の蓋４2が開閉され、それらの信号が制御部に送られることで、二種類のヒュージブルリンク１６1，１６2が電気接続箱２に挿入されたことが認識され、作業ＯＫ（完了）が例えばランプ表示等で報知される。
【００４８】
以下に上記部品挿入装置１を用いた部品挿入方法を説明する。
【００４９】
先ず図１のように作業台３の上に電気接続箱２を位置決めセットする。ここで電気接続箱２はヒュージブルリンク１６1，１６2を装着していない状態であるから完成品ではなく中間組立品である。
【００５０】
次いで図２の如く第一の部品収納箱５1の蓋４1を作業者が開けて電気接続箱２の上に配置する。そして部品収納箱５1からヒュージブルリンク１６1を取り出して蓋４1の部品ガイド孔７1，７2にヒュージブルリンク１６1を挿入する。部品ガイド孔７1，７2は電気接続箱２のヒュージブルリンク装着部６1，６2に対向しているから、ヒュージブルリンク１６1は所定のヒュージブルリンク装着部６1，６2内に挿入される。ここで作業者がヒュージブルリンク１６1を強く押し込めば、電気接続箱内の相手側端子とヒュージブルリンク１６1の端子とが接続される。この端子接続は後工程で一括して行ってもよい。
【００５１】
第一の蓋４1の全て（本例で二つ）の部品ガイド孔７1，７2にヒュージブルリンク１６1を挿入し終えたら、蓋４1を閉じて、図３の如く、第二の部品収納箱５2の蓋４2を開けて電気接続箱２の上に配置する。そして同様に部品収納箱５2からヒュージブルリンク１６2を取り出して蓋４2の部品ガイド孔７3，７4を経て電気接続箱２のヒュージブルリンク装着部６3，６4内に挿入する。全て（本例で二つ）の部品ガイド孔７3，７4にヒュージブルリンク１６2を挿入し終えたら蓋４2を閉じてヒュージブルリンク１６2の挿入作業が完了する。
【００５２】
作業者が第一の部品収納箱５1の蓋４1を閉め忘れた場合には、第二の部品収納箱５2の蓋４2を開けた時点でブザーが鳴り、閉め忘れが報知される。閉め忘れの検知は各部品収納箱５1，５2のセンサ１９のオンオフ信号を制御部が受けて行われる。これは作業者がズルをして蓋４1，４2を開け放しにした場合でも同様である。
【００５３】
なお、上記実施形態においては、部品収納箱５を二つ設けたが、電気接続箱２に装着するヒュージブルリンク１６の種類が三種類である場合には、第三の部品収納箱（図示せず）を例えば第一の部品収納箱５1に隣接して第二の部品収納箱５2の対向位置に配置する。その場合、各部品収納箱５のセンサ１９の数は図１の形態と同様に三つでよく、第三の部品収納箱の蓋には被検知部としてのボルト２１が三つ装着されてヒュージブルリンク１６の種類が識別される。
【００５４】
ヒュージブルリンク１６の種類が四種類である場合には第四の部品収納箱（図示せず）を第一の部品収納箱５1の対向位置に配置する。この場合、センサ１９の数は四つで第四の部品収納箱の蓋のボルト２１の数は四本となる。被検知部としてボルト２１はあくまでも一例であり、磁気センサの場合は導電金属製の突部であれば何でもよい。
【００５５】
また、使用するヒュージブルリンク１６の種類が五種類ないしそれ以上である場合や、三種類や四種類であっても部品収納箱５を配置するスペースがない場合には、部品収納箱５を他種のヒュージブルリンク用のものと交換して使用したり、あるいは部品収納箱５はそのままで中味のヒュージブルリンク１６をそっくり交換し、且つ蓋４を新たな種類のヒュージブルリンクに対応する部品ガイド孔７を有するものに交換することも可能である。
【００５６】
この場合、蓋４はヒンジ１８の固定を解除して再度組み付けてもよいが、それでは段取時間がかかるので、蓋４を部品収納箱５に対してワンタッチで着脱できるように、例えば部品収納箱側の軸受（図示せず）を可撓性の円弧状に形成し、その軸受に蓋側の支軸（図示せず）をワンタッチで嵌入させるようにしたり、あるいは部品収納箱側の筒状の軸受（図示せず）と蓋側の筒状の軸受（図示せず）とに軸ピン（図示せず）を挿入する構造等にしてもよい。
【００５７】
また、複数種のヒュージブルリンク１６を装着可能な電気接続箱２の中間組立工程で一種類のヒュージブルリンク１６1のみを挿入する必要がある（他種のヒュージブルリンク１６2は後工程で挿入する）場合は、一つの部品収納箱５1と蓋４1を設けることになる。この場合、センサ１９でヒュージブルリンク１６1の種類の検知を行わせる必要はないので、部品収納箱５のセンサ１９の数は開閉検知用の一つでよく、被検知部としてボルト２１等を用いずに蓋４1の一部（例えば張り出し部２０）を直接被検知部とすればよい。
【００５８】
また、例えばベルトコンベア等の搬送手段（図示せず）の両側ないし片側に部品収納箱５と蓋４を配置しておき、搬送手段を停止させた状態で電気接続箱２にヒュージブルリンク１６を挿入することも可能である。
【００５９】
また、上記実施形態においては、部品としてヒュージブルリンク１６を用いたが、ヒュージブルリンク以外にも小電力用のブレード型のヒューズやリレーやジョイント用コネクタ（電線のないもの）といった種々の部品に適用可能である。また、電気接続箱以外に上記部品挿入装置及び挿入方法を適用することも可能である。
【図面の簡単な説明】
【００６０】
【図１】本発明に係る部品挿入装置の一実施形態を示す斜視図である。
【図２】同じく部品挿入装置で一種類目の部品を電気接続箱に挿入する状態を示す斜視図である。
【図３】同じく二種類目の部品を電気接続箱に挿入する状態を示す斜視図である。
【図４】従来の電気接続箱の一形態を示す斜視図である。
【符号の説明】
【００６１】
１            部品挿入装置
２            電気接続箱
４1，４2      蓋
５1，５2      部品収納箱
６1〜６4      ヒュージブルリンク装着部（部品装着部）
７1〜７4      部品ガイド孔
１６1，１６2  ヒュージブルリンク（部品）
１９          センサ
【図１】
2005333010.tif 000003
【図２】
2005333010.tif 000004
【図３】
2005333010.tif 000005
【図４】
2005333010.tif 000006